(57)【要約】  本発明は液晶ディスプレイパネルのグレースケール補正データの検出方法を提供する。該方法は、まず、液晶ディスプレイパネルの輝度が最大の状態での画面を撮影し、且つ該画面に基づいて第１グレースケール補正データを得て、その後、撮影対象の第２グレースケール値、予め設定されたグレースケール補正データスケーリングアルゴリズム及び第１グレースケール補正データに基づいて、撮影対象の第２グレースケール値に対応する第２グレースケール補正データを算出し、第２グレースケール補正データによって第２グレースケールデータを補正し、さらに前記液晶ディスプレイパネルが補正後の第２グレースケールデータによって駆動されて表示する画面を撮影し、それによって前記液晶ディスプレイパネルの第２グレースケール値に対応する第３グレースケール補正データを得るが、前記第３グレースケール補正データは液晶ディスプレイパネル自体の第２グレースケール値に対応するグレースケール補正データであり、テストバックライトモジュールの明暗差の影響を解消し、液晶ディスプレイパネル自体のグレースケール補正データを正確に得ることができる。
2021501369.tif 000002
【特許請求の範囲】
【請求項１】
液晶ディスプレイパネルのグレースケール補正データの検出方法であって、
液晶ディスプレイパネルをテストバックライトモジュールとペアリングして組み合わせ、前記テストバックライトモジュールによって前記液晶ディスプレイパネルに光源を提供するステップＳ１と、
第１グレースケール値に対応する第１グレースケールデータを前記液晶ディスプレイパネルに入力し、前記液晶ディスプレイパネルを輝度が最大の状態にし、カメラによって前記液晶ディスプレイパネルの画面を撮影し、且つ該画面の明暗差に基づいて第１グレースケール補正データを算出するステップＳ２と、
撮影対象の第２グレースケール値を決定し、撮影対象の第２グレースケール値、予め設定されたグレースケール補正データスケーリングアルゴリズム及び第１グレースケール補正データに基づいて、撮影対象の第２グレースケール値に対応する第２グレースケール補正データを算出するステップＳ３と、
第２グレースケール補正データを利用して、第２グレースケール値に対応する第２グレースケールデータを補正し、補正後の第２グレースケールデータを得るステップＳ４と、
補正後の第２グレースケールデータを前記液晶ディスプレイパネルに入力し、前記カメラによって前記液晶ディスプレイパネルの画面を撮影し、該画面の明暗差に基づいて前記液晶ディスプレイパネルの前記第２グレースケール値での第３グレースケール補正データを得るステップＳ５と、を含む、液晶ディスプレイパネルのグレースケール補正データの検出方法。
【請求項２】
前記予め設定されたグレースケール補正データスケーリングアルゴリズムは
ｂ＝（Ｎ／Ｍ）ａであり、
ｂは第２グレースケール補正データであり、ａは第１グレースケール補正データであり、Ｎは第２グレースケール値であり、Ｍは第１グレースケール値である、請求項１に記載の液晶ディスプレイパネルのグレースケール補正データの検出方法。
【請求項３】
前記液晶ディスプレイパネルを量産バックライトモジュールとペアリングして組み合わせ、前記量産バックライトモジュールによって前記液晶ディスプレイパネルに光源を提供するステップＳ６と、
前記液晶ディスプレイパネルが第２グレースケール値を表示する時、第３グレースケール補正データによって前記第２グレースケール値に対し輝度補正を行うステップＳ７と、をさらに含む、請求項１に記載の液晶ディスプレイパネルのグレースケール補正データの検出方法。
【請求項４】
前記ステップＳ７は、
第３グレースケール補正データ及び第２グレースケールデータを取得することと、
前記第３グレースケール補正データによって前記第２グレースケールデータを補正し、目標グレースケールデータを得ることと、
前記目標グレースケールデータを利用して、画面を表示するように前記液晶ディスプレイパネルを駆動することと、を含む、請求項３に記載の液晶ディスプレイパネルのグレースケール補正データの検出方法。
【請求項５】
前記ステップＳ５は、前記第３グレースケール補正データを１つのフラッシュチップ中に記憶することをさらに含む、請求項３に記載の液晶ディスプレイパネルのグレースケール補正データの検出方法。
【請求項６】
前記フラッシュチップは１つの補正チップに電気的に接続され、
前記補正チップは前記フラッシュチップから第３グレースケール補正データを取得し、且つ第２グレースケールデータを受信することにより、前記第３グレースケール補正データによって前記第２グレースケールデータを補正し、目標グレースケールデータを得て、且つ目標グレースケールデータをタイミングコントローラに出力する、請求項５に記載の液晶ディスプレイパネルのグレースケール補正データの検出方法。
【請求項７】
前記第１グレースケール値は２５５である、請求項１に記載の液晶ディスプレイパネルのグレースケール補正データの検出方法。
【請求項８】
量産バックライトモジュールの最小輝度部分と最大輝度部分との比は９５％よりも大きい、請求項１に記載の液晶ディスプレイパネルのグレースケール補正データの検出方法。
【請求項９】
前記ステップＳ５において第３グレースケール補正データを得る方法は、
前記カメラによって撮影された画面に基づいて、該画面中の各画素の輝度を取得することと、
該画面中の各画素と該画面の中央位置にある画素との輝度差を計算することと、
ガンマ曲線に基づいて、前記輝度差値の補正に必要なグレースケールデータを算出することにより第３グレースケール補正データを得ることと、を含む、請求項１に記載の液晶ディスプレイパネルのグレースケール補正データの検出方法。
【請求項１０】
前記カメラはＣＣＤカメラである、請求項１に記載の液晶ディスプレイパネルのグレースケール補正データの検出方法。
【請求項１１】
液晶ディスプレイパネルのグレースケール補正データの検出方法であって、
液晶ディスプレイパネルをテストバックライトモジュールとペアリングして組み合わせ、前記テストバックライトモジュールによって前記液晶ディスプレイパネルに光源を提供するステップＳ１と、
第１グレースケール値に対応する第１グレースケールデータを前記液晶ディスプレイパネルに入力し、前記液晶ディスプレイパネルを輝度が最大の状態にし、カメラによって前記液晶ディスプレイパネルの画面を撮影し、且つ該画面の明暗差に基づいて第１グレースケール補正データを算出するステップＳ２と、
撮影対象の第２グレースケール値を決定し、撮影対象の第２グレースケール値、予め設定されたグレースケール補正データスケーリングアルゴリズム及び第１グレースケール補正データに基づいて、撮影対象の第２グレースケール値に対応する第２グレースケール補正データを算出するステップＳ３と、
第２グレースケール補正データを利用して、第２グレースケール値に対応する第２グレースケールデータを補正し、補正後の第２グレースケールデータを得るステップＳ４と、
補正後の第２グレースケールデータを前記液晶ディスプレイパネルに入力し、前記カメラによって前記液晶ディスプレイパネルの画面を撮影し、該画面の明暗差に基づいて前記液晶ディスプレイパネルの前記第２グレースケール値での第３グレースケール補正データを得るステップＳ５と、
前記液晶ディスプレイパネルを量産バックライトモジュールとペアリングして組み合わせ、前記量産バックライトモジュールによって前記液晶ディスプレイパネルに光源を提供するステップＳ６と、
前記液晶ディスプレイパネルが第２グレースケール値を表示する時、第３グレースケール補正データによって前記第２グレースケール値に対し輝度補正を行うステップＳ７と、を含み、
前記予め設定されたグレースケール補正データスケーリングアルゴリズムは、
ｂ＝（Ｎ／Ｍ）ａであり、
ｂは第２グレースケール補正データであり、ａは第１グレースケール補正データであり、Ｎは第２グレースケール値であり、Ｍは第１グレースケール値であり、
前記ステップＳ７は、
第３グレースケール補正データ及び第２グレースケールデータを取得することと、
前記第３グレースケール補正データによって前記第２グレースケールデータを補正し、目標グレースケールデータを得ることと、
前記目標グレースケールデータを利用して、画面を表示するように前記液晶ディスプレイパネルを駆動することと、を含み、
前記ステップＳ５は、前記第３グレースケール補正データを１つのフラッシュチップ中に記憶することをさらに含み、
前記フラッシュチップは１つの補正チップに電気的に接続され、
前記補正チップは前記フラッシュチップから第３グレースケール補正データを取得し、且つ第２グレースケールデータを受信することにより、前記第３グレースケール補正データによって前記第２グレースケールデータを補正し、目標グレースケールデータを得て、且つ目標グレースケールデータをタイミングコントローラに出力する、液晶ディスプレイパネルのグレースケール補正データの検出方法。
【請求項１２】
前記第１グレースケール値は２５５である、請求項１１に記載の液晶ディスプレイパネルのグレースケール補正データの検出方法。
【請求項１３】
前記量産バックライトモジュールの最小輝度部分と最大輝度部分との比は９５％よりも大きい、請求項１１に記載の液晶ディスプレイパネルのグレースケール補正データの検出方法。
【請求項１４】
前記ステップＳ５において第３グレースケール補正データを得る方法は、
前記カメラによって撮影された画面に基づいて、該画面中の各画素の輝度を取得することと、
該画面中の各画素と該画面の中央位置にある画素との輝度差を計算することと、
ガンマ曲線に基づいて、前記輝度差値の補正に必要なグレースケールデータを算出し、それによって第３グレースケール補正データを得ることと、を含む、請求項１１に記載の液晶ディスプレイパネルのグレースケール補正データの検出方法。
【請求項１５】
前記カメラはＣＣＤカメラである、請求項１１に記載の液晶ディスプレイパネルのグレースケール補正データの検出方法。
【発明の詳細な説明】
【技術分野】
【０００１】
本発明は表示技術分野に関し、特に液晶ディスプレイパネルのグレースケール補正データの検出方法に関する。
【背景技術】
【０００２】
表示技術の発展につれて、液晶ディスプレイ（Ｌｉｑｕｉｄ  Ｃｒｙｓｔａｌ  Ｄｉｓｐｌａｙ、ＬＣＤ）等の平面表示装置は高画質、省電力、薄型及び広い適用範囲等の利点を有するようになり、携帯電話、テレビ、パーソナルデジタルアシスタント、デジタルカメラ、ノートパソコン、デスクトップコンピュータ等の各種の大衆消費電子製品に広く用いられ、表示装置の主流となっている。
【０００３】
従来の液晶ディスプレイはほとんどがバックライト型液晶ディスプレイであり、筐体、筐体内に設けられる液晶パネル、及び筐体内に設けられるバックライトモジュールを含む。通常、液晶パネルは１つのカラーフィルター（Ｃｏｌｏｒ  Ｆｉｌｔｅｒ、ＣＦ）基板、１つの薄膜トランジスタアレイ基板（Ｔｈｉｎ  Ｆｉｌｍ  Ｔｒａｎｓｉｓｔｏｒ  Ａｒｒａｙ  Ｓｕｂｓｔｒａｔｅ、ＴＦＴ  Ａｒｒａｙ  Ｓｕｂｓｔｒａｔｅ）及び２つの基板の間に充填される液晶層（Ｌｉｑｕｉｄ  Ｃｒｙｓｔａｌ  Ｌａｙｅｒ）からなり、その動作原理はＣＦ基板とＴＦＴ基板上に駆動電圧を印加することで液晶層の液晶分子の回転を制御し、光の出力量を制御し、バックライトモジュールからの光を屈折させて画面を生成することである。通常、液晶ディスプレイパネルの成型技術は一般には、アレイ基板（Ａｒｒａｙ）製造工程（薄膜、フォトリソグラフィー、エッチング及び薄膜剥離）、カラーフィルム基板製造工程、及びセル（Ｃｅｌｌ）製造工程（ＴＦＴ基板とＣＦ基板を貼り合わせる）を含む。
【０００４】
液晶ディスプレイパネルの製造完了後、製造工程の製造技術の制限のため、各液晶ディスプレイパネルによって異なる程度の輝度ムラ（グレースケールｍｕｒａ）現象が発生することがある。液晶ディスプレイパネルのグレースケールｍｕｒａを補正するために、従来技術では、異なるグレースケールで表示される画面の液晶ディスプレイパネルを１つのカメラで撮影することにより、該表示画面の明暗差に応じた１つのグレースケール補正データを得て、且つ該グレースケール補正データをフラッシュ（Ｆｌａｓｈ）中に記憶する。タイミングコントローラ（Ｔｃｏｎ  ＩＣ）は通電後、まずグレースケール補正データによって表示対象のグレースケールデータを補正し、続いて、補正後のグレースケールデータを出力して画面表示を行い、それにより液晶ディスプレイパネルの明暗の均一性を向上させることが行われている。
【０００５】
しかしながら、従来技術では、グレースケール補正データを取得する時、液晶ディスプレイパネルをテストテーブルのテストバックライトモジュールとペアリングし、そしてテストバックライトモジュールによって液晶ディスプレイパネルに光源を提供して画面を表示し、さらにカメラによって上記液晶ディスプレイパネルの表示画面を撮影してグレースケール補正データを得る必要がある。長時間使用等の要因の影響によって、テストバックライトモジュール自体も明らかな明暗差が生じる場合には、この時のカメラによって撮影された画面に存在する明暗差は、液晶ディスプレイパネルではなく、テストバックライトモジュール由来である可能性がある。そして、この画面に基づいて得られたグレースケール補正データも液晶ディスプレイパネル自体に対するグレースケール補正データではなく、液晶ディスプレイパネルとテストバックライトモジュールとの両方に対する合計のグレースケール補正データである。液晶ディスプレイパネルが明らかな輝度差のない量産バックライトモジュールとペアリングされた後に、更に該グレースケール補正データによって液晶ディスプレイパネルの明暗差を補正する場合には、グレースケール補正データのエラーによって新たな明暗差が生じることがある。
【発明の概要】
【発明が解決しようとする課題】
【０００６】
本発明の目的は、液晶ディスプレイパネルのグレースケール補正データの検出方法を提供することであり、テストバックライトモジュールの明暗差の影響を解消し、液晶ディスプレイパネル自体のグレースケール補正データを正確に得ることができる。
【課題を解決するための手段】
【０００７】
上記目的を実現するために、本発明は液晶ディスプレイパネルのグレースケール補正データの検出方法を提供し、
液晶ディスプレイパネルをテストバックライトモジュールとペアリングして組み合わせ、前記テストバックライトモジュールによって前記液晶ディスプレイパネルに光源を提供するステップＳ１と、
第１グレースケール値に対応する第１グレースケールデータを前記液晶ディスプレイパネルに入力し、前記液晶ディスプレイパネルを輝度が最大の状態にし、カメラによって前記液晶ディスプレイパネルの画面を撮影し、且つ該画面の明暗差に基づいて第１グレースケール補正データを算出するステップＳ２と、
撮影対象の第２グレースケール値を決定し、撮影対象の第２グレースケール値、予め設定されたグレースケール補正データスケーリングアルゴリズム及び第１グレースケール補正データに基づいて、撮影対象の第２グレースケール値に対応する第２グレースケール補正データを算出するステップＳ３と、
第２グレースケール補正データを利用して、第２グレースケール値に対応する第２グレースケールデータを補正し、補正後の第２グレースケールデータを得るステップＳ４と、
補正後の第２グレースケールデータを前記液晶ディスプレイパネルに入力し、前記カメラによって前記液晶ディスプレイパネルの画面を撮影し、該画面の明暗差に基づいて前記液晶ディスプレイパネルの前記第２グレースケール値での第３グレースケール補正データを得るステップＳ５と、を含む。
【０００８】
前記予め設定されたグレースケール補正データスケーリングアルゴリズムは、ｂ＝（Ｎ／Ｍ）ａであり、
ｂは第２グレースケール補正データであり、ａは第１グレースケール補正データであり、Ｎは第２グレースケール値であり、Ｍは第１グレースケール値である。
【０００９】
前記液晶ディスプレイパネルのグレースケール補正データの検出方法は、
前記液晶ディスプレイパネルを量産バックライトモジュールとペアリングして組み合わせ、前記量産バックライトモジュールによって前記液晶ディスプレイパネルに光源を提供するステップＳ６と、
前記液晶ディスプレイパネルが第２グレースケール値を表示する時、第３グレースケール補正データによって前記第２グレースケール値に対し輝度補正を行うステップＳ７と、をさらに含む。
【００１０】
前記ステップＳ７は、具体的には、
第３グレースケール補正データ及び第２グレースケールデータを取得することと、
前記第３グレースケール補正データによって前記第２グレースケールデータを補正し、目標グレースケールデータを得ることと、
前記目標グレースケールデータを利用して、画面を表示するように前記液晶ディスプレイパネルを駆動することと、を含む。
【００１１】
前記ステップＳ５は、前記第３グレースケール補正データを１つのフラッシュチップ中に記憶することをさらに含む。
【００１２】
前記フラッシュチップは１つの補正チップに電気的に接続され、
前記補正チップは前記フラッシュチップから第３グレースケール補正データを取得し、且つ第２グレースケールデータを受信することにより、前記第３グレースケール補正データによって前記第２グレースケールデータを補正し、目標グレースケールデータを得て、且つ目標グレースケールデータをタイミングコントローラに出力する。
【００１３】
前記第１グレースケール値は２５５である。
【００１４】
前記量産バックライトモジュールの最小輝度部分と最大輝度部分との比は９５％よりも大きい。
【００１５】
前記ステップＳ５において第３グレースケール補正データを得る方法は、具体的には、
前記カメラによって撮影された画面に基づいて、該画面中の各画素の輝度を取得することと、
該画面中の各画素の輝度と該画面の中央位置にある画素の輝度との差を計算することと、
ガンマ曲線に基づいて、前記輝度差値の補正に必要なグレースケールデータを算出することにより第３グレースケール補正データを得ることと、を含む。
【００１６】
前記カメラはＣＣＤカメラである。
【００１７】
本発明はさらに液晶ディスプレイパネルのグレースケール補正データの検出方法を提供し、
液晶ディスプレイパネルをテストバックライトモジュールとペアリングして組み合わせ、前記テストバックライトモジュールによって前記液晶ディスプレイパネルに光源を提供するステップＳ１と、
第１グレースケール値に対応する第１グレースケールデータを前記液晶ディスプレイパネルに入力し、前記液晶ディスプレイパネルを輝度が最大の状態にし、カメラによって前記液晶ディスプレイパネルの画面を撮影し、且つ該画面の明暗差に基づいて第１グレースケール補正データを算出するステップＳ２と、
撮影対象の第２グレースケール値を決定し、撮影対象の第２グレースケール値、予め設定されたグレースケール補正データスケーリングアルゴリズム及び第１グレースケール補正データに基づいて、撮影対象の第２グレースケール値に対応する第２グレースケール補正データを算出するステップＳ３と、
第２グレースケール補正データを利用して、第２グレースケール値に対応する第２グレースケールデータを補正し、補正後の第２グレースケールデータを得るステップＳ４と、
補正後の第２グレースケールデータを前記液晶ディスプレイパネルに入力し、前記カメラによって前記液晶ディスプレイパネルの画面を撮影し、該画面の明暗差に基づいて前記液晶ディスプレイパネルの前記第２グレースケール値での第３グレースケール補正データを得るステップＳ５と、
前記液晶ディスプレイパネルを量産バックライトモジュールとペアリングして組み合わせ、前記量産バックライトモジュールによって前記液晶ディスプレイパネルに光源を提供するステップＳ６と、
前記液晶ディスプレイパネルが第２グレースケール値を表示する時、第３グレースケール補正データによって前記第２グレースケール値に対し輝度補正を行うステップＳ７と、を含み、
前記予め設定されたグレースケール補正データスケーリングアルゴリズムは
ｂ＝（Ｎ／Ｍ）ａであり、
ｂは第２グレースケール補正データであり、ａは第１グレースケール補正データであり、Ｎは第２グレースケール値であり、Ｍは第１グレースケール値であり、
前記ステップＳ７は、具体的には、
第３グレースケール補正データ及び第２グレースケールデータを取得することと、
前記第３グレースケール補正データによって前記第２グレースケールデータを補正し、目標グレースケールデータを得ることと、
前記目標グレースケールデータを利用して、画面を表示するように前記液晶ディスプレイパネルを駆動することと、を含み、
前記ステップＳ５は、前記第３グレースケール補正データを１つのフラッシュチップ中に記憶することをさらに含み、
前記フラッシュチップは１つの補正チップに電気的に接続され、
前記補正チップは前記フラッシュチップから第３グレースケール補正データを取得し、且つ第２グレースケールデータを受信することにより、前記第３グレースケール補正データによって前記第２グレースケールデータを補正し、目標グレースケールデータを得て、且つ目標グレースケールデータをタイミングコントローラに出力する。
【発明の効果】
【００１８】
本発明の有益な効果は、以下のとおりである。本発明は液晶ディスプレイパネルのグレースケール補正データの検出方法を提供し、該方法は、まず、液晶ディスプレイパネルの輝度が最大の状態での画面を撮影し、且つ該画面に基づいて第１グレースケール補正データを得て、その後、撮影対象の第２グレースケール値、予め設定されたグレースケール補正データスケーリングアルゴリズム及び第１グレースケール補正データに基づいて、撮影対象の第２グレースケール値に対応する第２グレースケール補正データを算出し、第２グレースケール補正データによって第２グレースケールデータを補正し、さらに前記液晶ディスプレイパネルが補正後の第２グレースケールデータによって駆動されて表示する画面を撮影し、それによって前記液晶ディスプレイパネルの第２グレースケール値に対応する第３グレースケール補正データを得るが、前記第３グレースケール補正データは液晶ディスプレイパネル自体の第２グレースケール値に対応するグレースケール補正データであり、テストバックライトモジュールの明暗差の影響を解消し、液晶ディスプレイパネル自体のグレースケール補正データを正確に得ることができる。
【図面の簡単な説明】
【００１９】
本発明の特徴及び技術内容をさらに理解するように、以下の本発明についての詳細説明及び図面を参照できるが、図面は単に参考及び説明用のものであり、本発明を限定するためのものではない。
【００２０】
図中、
【図１】図１は本発明の液晶ディスプレイパネルのグレースケール補正データの検出方法のステップＳ１の模式図である。
【図２】図２は本発明の液晶ディスプレイパネルのグレースケール補正データの検出方法のステップＳ２の模式図である。
【図３】図３は本発明の液晶ディスプレイパネルのグレースケール補正データの検出方法のステップＳ３及びＳ４の模式図である。
【図４】図４は本発明の液晶ディスプレイパネルのグレースケール補正データの検出方法のステップＳ５の模式図である。
【図５】図５は本発明の液晶ディスプレイパネルのグレースケール補正データの検出方法のステップＳ６の模式図である。
【図６】図６は本発明の液晶ディスプレイパネルのグレースケール補正データの検出方法のフローチャートである。
【発明を実施するための形態】
【００２１】
本発明が採用する技術的手段及びその効果をさらに説明するために、以下、本発明の好適実施例及びその図面を詳細に説明する。
【００２２】
図６を参照すると、本発明は液晶ディスプレイパネルのグレースケール補正データの検出方法を提供し、以下のステップＳ１〜Ｓ５を含む。
【００２３】
ステップＳ１では、図１を参照して、液晶ディスプレイパネル１をテストバックライトモジュール２とペアリングして組み合わせ、上記テストバックライトモジュール２によって上記液晶ディスプレイパネル１に光源を提供する。
【００２４】
具体的には、上記テストバックライトモジュール２は初回使用時の輝度均一性が通常９５％よりも大きく、すなわち、最小輝度部分と最大輝度部分との輝度比が９５％よりも大きいが、長時間使用後、輝度均一性が低下し、明暗差が生じ、液晶ディスプレイパネルのグレースケール補正データの正確性に悪影響を与える可能性がある。
【００２５】
ステップＳ２では、図２を参照して、第１グレースケール値に対応する第１グレースケールデータを上記液晶ディスプレイパネル１に入力し、上記液晶ディスプレイパネル１を輝度が最大の状態にし、カメラ３によって上記液晶ディスプレイパネル１の画面を撮影し、且つ該画面の明暗差に基づいて第１グレースケール補正データを算出する。
【００２６】
具体的には、図２に示すように、図中、１００は上記液晶ディスプレイパネル１が上記テストバックライトモジュール２とペアリングする時に第１グレースケール値に対応する画面であり、ａは第１グレースケール補正データである。
【００２７】
好適には、上記第１グレースケール値は一般に２５５であり、この時、液晶ディスプレイパネルは、輝度が最大の状態であり、液晶ディスプレイパネル自体の輝度差は非常に小さく、無視できる程度であり、上記第１グレースケール補正データはテストバックライトモジュールの明暗差に対応するグレースケール補正データである。
【００２８】
好適には、上記カメラ３は電荷結合素子（Ｃｈａｒｇｅ−ｃｏｕｐｌｅｄ  Ｄｅｖｉｃｅ、ＣＣＤ）カメラである。
【００２９】
ステップＳ３では、図３を参照して、撮影対象の第２グレースケール値を決定し、撮影対象の第２グレースケール値、予め設定されたグレースケール補正データスケーリングアルゴリズム及び第１グレースケール補正データに基づいて、撮影対象の第２グレースケール値に対応する第２グレースケール補正データを算出する。
【００３０】
好適には、図３に示すように、図中、２００は上記液晶ディスプレイパネル１は上記テストバックライトモジュール２とペアリングする時に第２グレースケール値に対応する画面であり、２００’は上記テストバックライトモジュール２とペアリングする時に補正後の第２グレースケール値に対応する画面であり、ｂは第２グレースケール補正データである。
【００３１】
さらに、上記予め設定されたグレースケール補正データスケーリングアルゴリズムはｂ＝（Ｎ／Ｍ）ａであり、
ｂは第２グレースケール補正データであり、ａは第１グレースケール補正データであり、Ｎは第２グレースケール値であり、Ｍは第１グレースケール値である。
【００３２】
具体的には、例えば、上記第１グレースケール補正データがａであり、上記撮影対象の第２グレースケール値が２５である場合、この時、上記第２グレースケール補正データｂを約ａ／１０と算出し、それによってテストバックライトモジュールの第２グレースケール値での明暗差を第２グレースケール補正データｂによって補正できる。
【００３３】
ステップＳ４では、図３を参照して、第２グレースケール補正データｂを利用して第２グレースケール値に対応する第２グレースケールデータを補正し、補正後の第２グレースケールデータを得る。
【００３４】
具体的には、上記例に次いで、この時、補正後の第２グレースケールデータは第２グレースケール補正データａ／１０に対応付けられた２５グレースケールに対応するグレースケールデータによって補正されたグレースケールデータであり、補正によってテストバックライトモジュール２の明暗差を解消できるため、後続の表示画面中に出現する明暗差はすべて液晶ディスプレイパネル１自体由来のものとなる。
【００３５】
ステップＳ５では、図４を参照して、補正後の第２グレースケールデータを上記液晶ディスプレイパネル１に入力し、上記カメラ３によって上記液晶ディスプレイパネル１の画面を撮影し、該画面の明暗差に基づいて上記液晶ディスプレイパネル１の上記第２グレースケール値での第３グレースケール補正データを得る。
【００３６】
図４に示すように、上記ｃは第３グレースケール補正データである。
【００３７】
具体的には、上記第３グレースケール補正データは液晶ディスプレイパネル１自体の第２グレースケール値での明暗差のグレースケール補正データであり、テストバックライトモジュールの明暗差の影響を解消している。
【００３８】
具体的には、上記ステップＳ５は、上記第３グレースケール補正データｃを１つのフラッシュチップ中に記憶することをさらに含み、上記フラッシュチップは１つの補正チップに電気的に接続され、上記補正チップは上記フラッシュチップから第３グレースケール補正データを取得し、且つ第２グレースケールデータを受信することにより、上記第３グレースケール補正データによって上記第２グレースケールデータを補正し、目標グレースケールデータを得て、且つ目標グレースケールデータをタイミングコントローラに出力する。
【００３９】
具体的には、本発明では、カメラ３によって撮影された画面に基づいてグレースケール補正データを得る方法は、上記カメラ３によって撮影された画面に基づいて、該画面中の各画素の輝度を取得することと、該画面中の各画素と該画面の中央位置にある画素との輝度差を計算することと、ガンマ曲線に基づいて、上記輝度差の補正に必要なグレースケールデータを算出すること、と、を含み、上記した上記輝度差値の補正に必要なグレースケールデータはグレースケール補正データである。
【００４０】
ステップＳ６では、図５を参照して、上記液晶ディスプレイパネル１を量産バックライトモジュール４とペアリングして組み合わせ、上記量産バックライトモジュール４によって上記液晶ディスプレイパネル１に光源を提供する。
【００４１】
好適には、上記量産バックライトモジュール４の輝度均一性は９５％よりも大きく、すなわち、最小輝度部分と最大輝度部分との輝度比は９５％よりも大きく、明らかな明暗差が存在しない。
【００４２】
ステップＳ７では、上記液晶ディスプレイパネル１が第２グレースケール値を表示する時、第３グレースケール補正データによって上記第２グレースケール値に対し輝度補正を行う。
【００４３】
具体的には、上記ステップＳ７は、具体的には、第３グレースケール補正データ及び第２グレースケール値に対応する第２グレースケールデータを取得することと、上記第３グレースケール補正データによって上記第２グレースケールデータを補正し、目標グレースケールデータを得ることと、上記目標グレースケールデータを利用して、画面を表示するように上記液晶ディスプレイパネル１を駆動することと、を含む。
【００４４】
具体的には、この時、液晶ディスプレイパネル１が量産バックライトモジュール４によって光源を提供し、且つ第３グレースケール補正データによって輝度補正を行うことで、液晶ディスプレイパネル１の表示画面の明暗の均一性を効果的に向上させ、新たな明暗差を発生させることがない。
【００４５】
具体的には、本発明では、前記第１グレースケールデータ、第２グレースケールデータ、第１グレースケール補正データ、第２グレースケール補正データ、第３グレースケール補正データはいずれもデータ行列であり、上記データ行列は複数のデータ値を含み、各データ値は上記液晶ディスプレイパネル１の１つの画素に対応する。
【００４６】
以上のように、本発明は液晶ディスプレイパネルのグレースケール補正データの検出方法を提供し、該方法は、まず、液晶ディスプレイパネルの輝度が最大の状態での画面を撮影し、且つ該画面に基づいて第１グレースケール補正データを得て、その後、撮影対象の第２グレースケール値、予め設定されたグレースケール補正データスケーリングアルゴリズム及び第１グレースケール補正データに基づいて、撮影対象の第２グレースケール値に対応する第２グレースケール補正データを算出し、第２グレースケール補正データによって第２グレースケールデータを補正し、さらに上記液晶ディスプレイパネルが補正後の第２グレースケールデータによって駆動されて表示する画面を撮影し、それによって上記液晶ディスプレイパネルの第２グレースケール値に対応する第３グレースケール補正データを得るが、上記第３グレースケール補正データは液晶ディスプレイパネル自体の第２グレースケール値に対応するグレースケール補正データであり、テストバックライトモジュールの明暗差の影響を解消し、液晶ディスプレイパネル自体のグレースケール補正データを正確に得ることができる。
【００４７】
以上のように、当業者にとっては、本発明の技術案及び技術的概念に基づいてほかの対応する種々の変更や変形を行うことができ、これらの変更や変形はすべて本発明の請求の範囲の保護範囲に属する。
【符号の説明】
【００４８】
１  液晶ディスプレイパネル
２  テストバックライトモジュール
３  カメラ
４  量産バックライトモジュール
【図１】
2021501369.tif 000003
【図２】
2021501369.tif 000004
【図３】
2021501369.tif 000005
【図４】
2021501369.tif 000006
【図５】
2021501369.tif 000007
【図６】
2021501369.tif 000008
【国際調査報告】
2021501369.tif 000009
2021501369.tif 000010
2021501369.tif 000011
2021501369.tif 000012